(57)【要約】  眼鏡組立体は、第１および第２のレンズ開口を有するフレームを備える。レンズは、レンズ開口で受け入れられるような寸法とされる。レンズは、レンズをレンズ開口でフレームに選択的に相互結合するキーを有する。キーは、レンズ開口の周りのフレームにおける相補的な溝に受け入れられる突起と、フレームに対してレンズを取り付けまたは取り外しするために必要とされる力がより小さい領域を提供し、フレーム溝の切り欠きに受け入れられるキーの小さい部分に沿うタブとを有する。【選択図】図１
2016529559.tif 000002
【特許請求の範囲】
【請求項１】
第１および第２のレンズ開口が形成され、前記レンズ開口の周りに溝または突起の一方を有するフレームと、
前記第１および第２のレンズ開口の少なくとも一方と作用的に関連するための寸法とされ、溝または突起の一方を有する少なくとも１つのレンズと、
前記フレームにおける前記第１および第２のレンズ開口の前記少なくとも一方に前記レンズを選択的に相互結合し、（ｉ）内周部に沿い、前記レンズの前記溝または突起の前記一方に対合する突起または溝の他方、ならびに（ｉｉ）外周部に沿い、前記フレームの前記溝または突起の前記一方に対合する突起または溝の他方を有するキーと
を備える眼鏡組立体。
【請求項２】
前記キーが固定された厚さを有する、請求項１に記載の眼鏡組立体。
【請求項３】
前記キーが、エポキシ、ポリマー、複合材料、または金属材料のうちの少なくとも１つから製作される、請求項２に記載の眼鏡組立体。
【請求項４】
前記キーが、同様に構成されたレンズ溝に受け入れられるように構成される内周部を有する、請求項１に記載の眼鏡組立体。
【請求項５】
前記キーが、前記レンズの全周にわたって延びる、請求項４に記載の眼鏡組立体。
【請求項６】
前記キーの前記内周部が、相補的な形状を有するレンズ溝に受け入れられるような半球形または三角形の一方である断面の形状および寸法を有する、請求項１に記載の眼鏡組立体。
【請求項７】
前記キーが、前記レンズ開口の周りのフレーム溝に受け入れられるように構成される外周部を有する、請求項１に記載の眼鏡組立体。
【請求項８】
前記キーが、前記フレームの全周にわたって延びる、請求項７に記載の眼鏡組立体。
【請求項９】
前記キーの前記外周部が、相補的な形状を有するレンズ溝に受け入れられるような半球形または三角形の一方である断面の形状および寸法を有する、請求項１に記載の眼鏡組立体。
【請求項１０】
前記キーが、緩衝部の残部から外向きに突出するタブを有する、請求項１に記載の眼鏡組立体。
【請求項１１】
前記フレームが、前記キーのタブを受け入れるように構成される切り欠き部を有する、請求項１０に記載の眼鏡組立体。
【請求項１２】
前記フレームの前記切り欠き部が、前記フレームの鼻ブリッジ部に隣接して配置される、請求項１１に記載の眼鏡組立体。
【請求項１３】
前記フレームの前記切り欠き部が前記フレームの内側面に配置されることによって、前記眼鏡組立体が関係するユーザによって着用されるときに前記キーのタブが前記フレームの外側面に沿って視認されない、請求項１２に記載の眼鏡組立体。
【請求項１４】
前記タブが前記キーの一部分のみで設けられる、請求項１０に記載の眼鏡組立体。
【請求項１５】
取り外し可能レンズを有する眼鏡組立体を形成する方法であって、
少なくとも１つの取り外し可能眼鏡レンズを用意するステップと、
少なくとも１つのレンズ開口を有するフレームを用意するステップと、
キーを各々の眼鏡レンズのリムに形成するステップと、
前記フレームの切り欠き領域と協働する前記キーの部分に沿ってタブを設けるステップと、
前記タブおよび前記切り欠き領域に沿って必要とされる、前記眼鏡組立体の残部で必要とされる力よりも小さい力で、前記レンズを前記フレームへと挿入するステップと
を含む方法。
【請求項１６】
前記キーの一部を受け入れる溝をレンズリムに沿って形成するステップをさらに含む、請求項１５に記載の方法。
【請求項１７】
前記キーの一部を受け入れる溝を前記フレーム内に形成するステップをさらに含む、請求項１５に記載の方法。
【請求項１８】
前記フレームのブリッジ部に前記フレーム溝の前記切り欠き領域を位置決めするステップをさらに含む、請求項１７に記載の方法。
【請求項１９】
前記レンズが前記フレームのブリッジ部に隣接する部分に前記タブを位置決めするステップを含む、請求項１５に記載の方法。
【発明の詳細な説明】
【技術分野】
【０００１】
[0001]本出願は、その開示全体が本明細書において参照により組み込まれている２０１３年８月２７日に出願された米国特許出願公開第６１／８７０，４９４号の優先権の利益を主張する。
【背景技術】
【０００２】
[0002]本開示は、交換可能なレンズを備えたアイウェア（処方および非処方の通常の眼鏡およびサングラス）の技術分野におけるものである。眼鏡は、減退した視力を矯正するための技術において良く知られている。レンズは、典型的には、ねじまたは他の半永久的な結合によってフレームに固定される。レンズを自身の眼鏡のフレームから取り外そうとする眼鏡の着用者は、フレームを解体しなければならず、これには、典型的には、適切な大きさのねじ回しまたは他の工具を使用する必要がある。これは、ほとんどの眼鏡着用者にとって、レンズの取り外しを面倒で時間の掛かるものにさせている。
【０００３】
[0003]典型的にはフレームの前側（すなわち、フレームの顔から最も遠い側）からフレームへと挿入される嵌め込み式のレンズなど、他の取り外し可能なレンズ形態は、嵌め込み式レンズの取り付けを容易にするための特別な構造も適合も有していない。さらに、嵌め込み式レンズと、分割式リムと、取り外し可能テンプル部を備えたフレームとは、レンズの組み込みおよび取り外しをするために、かなり大きな力が加えられることを典型的には必要とするため、取り外すのが煩わしい可能性もある。これは、レンズの組み込みおよび取り外しを、良好な運動機能が阻害されている人に対して特に困難にさせている。必要な力を加えることが、レンズまたはフレームへの損傷をもたらす可能性もある。
【０００４】
[0004]処方レンズの様々な寸法が、交換可能な眼鏡レンズシステムの開発をさらに複雑にしている。典型的には、フレームは、様々な寸法、例えば厚さのレンズを固定するために変更されなければならない。眼鏡着用者の処方が変わり、それによって異なる厚さの新しいレンズを必要とする場合、以前の処方レンズで使用されたフレームは、新たな処方レンズと互換性がない可能性がある。
【発明の概要】
【発明が解決しようとする課題】
【０００５】
[0005]したがって、効果的で安価でありながら所望のスタイルと美的訴求力とを同時に提供するような方法で、これらの問題および他の問題を克服する、使用するのが簡単な交換可能および／または取り外し可能な改良された眼鏡レンズに対する需要がある。
【課題を解決するための手段】
【０００６】
[0006]本開示は、取り外し可能眼鏡レンズとフレームプラットフォームとである。キーが各々の眼鏡レンズのリムに付け加えられ、レンズをフレームに固定する。キーは、レンズリムに沿う溝へと嵌合し、フレーム内の対応する溝へも嵌合する。キーは、レンズがフレームのブリッジ部に隣接する切り欠きを備え、フレームは、ドッキングされるキーおよびレンズと相補的になるように切り欠きが設けられる。レンズは、各々のレンズをフレームのレンズ開口へと押し込むことで挿入されてもよい。レンズは、レンズの表面を押すことで取り外されてもよい。
【図面の簡単な説明】
【０００７】
【図１】[0007]レンズがドッキングされており、キー／リング／緩衝部がレンズリムに付け加えられており、タブがキーの角から外向きに延びている状態でのフレームの斜視図である。
【図２】[0008]レンズがドッキングされており、タブがキーから視認可能に延びている状態でのフレームの斜視図である。
【図３】[0009]フレームにドッキングされているレンズの前側を示す図である。
【図４】[0010]フレームにドッキングされているレンズの後側を示す図である。キーから突出するタブも視認可能である。
【図５】[0011]一方のレンズが一部取り外されている状態の、フレームにドッキングされているレンズの後側を示す斜視図である。レンズリムに取り付けられたキー、およびキーから突出しているタブが視認可能である。
【図６】[0012]一方のレンズが一部取り外されている状態の、フレームにドッキングされているレンズの後側を示す斜視図である。レンズリムに対するキー、およびキーから突出しているタブが視認可能である。
【図７】[0013]レンズがドッキングされておらず、フレーム溝が視認可能な状態のフレームの斜視図である。
【図８】[0014]キーが取り付けられている状態のレンズの断面における斜視図である。キーの内周部とキーの外周部とが違いを付けられている。
【図９】[0015]キーが取り付けられている状態でのレンズの上方からの断面図である。
【図１０】[0016]キーが取り付けられている状態でのレンズの上方からの断面図である。
【図１１】[0017]キーが取り付けられていない状態で、レンズリム溝を露出させているレンズの斜視図である。
【図１２】[0018]キーが取り付けられ、タブがキーから突出している状態でのレンズの前側の斜視図である。
【図１３】[0019]レンズが取り外されており、テンプルも取り外されている状態のフレームの後側を示す図である（テンプルは、フレームを所定位置に保持するために、蝶番から顔の側部に沿って耳を越えて延びる）。
【図１４】[0020]レンズが取り外されている状態の図１３のフレームの前側を示す図である。
【図１５】[0021]タブが上方右手領域に示されている、左レンズの後側を示す図である。
【図１６】[0022]レンズの周辺（図示せず）の周りで受け入れられるキーの一部の拡大された斜視図と、タブを貫く断面図とである。
【図１７】[0023]タブが上方左手領域に示されている、左レンズの前側を示す図である。
【図１８】[0024]タブに隣接するキーを貫く断面のある図１６と同様の図であり、キーの詳細をさらに示す図である。
【図１９】[0025]左レンズおよびキーが左レンズ開口へと挿入されている状態におけるフレームの後側の斜視図である。
【図２０】[0026]左レンズが所定位置にある状態でのフレームの後側の図である。
【図２１】[0027]左レンズにおけるキー（タブを備える）の斜視図である。
【発明を実施するための形態】
【０００８】
[0028]本開示は、容易に取り外しできるレンズを備える眼鏡システムと、この機能を実現する例の装置とに関する。ここで、本開示の主題が、以下の例を参照して説明され、ここで提供される教示の結果として展開され得る多くの変更があることは理解される。
【０００９】
[0029]眼鏡レンズは、着用されているときに着用者の顔から最も遠くにある前側１と、着用されているときに着用者の顔に最も近くにある後側２と、外側周辺またはリム３とを有する。このリム３に沿うのは、溝または通路（「レンズリム溝」４）である。このレンズリム溝４は、正方形または矩形の形としての図で描写されているが、半球形、三角形、または、キー、リング、緩衝部（bumper）、キャリア、もしくは切替部（interchanger）５をレンズへと固定するのに十分な任意の形状であってもよい。機械的な結合（例えば、摩擦嵌め込み）は、リングの所望の保持力をレンズにもたらすには不十分である可能性があるため、キー５が好ましくはレンズに接着されることが見出されている。より明確には、適切な接着は、レンズのリム３における溝４とキー５との間において、エポキシなどの接着材料によって提供される。好ましくは、接着材料は、キーと同じ色を有するように着色される。この方法では、硬化されるとき、レンズのリム３に形成された溝４は、キー５によって「隠され」、レンズとキーとは一体品のように見える。接着材料は、好ましくは、溝４に挿入または適用され、キー５が溝に適切な配向で適用される。キー５をレンズ溝４に固定するこの工程の一部として、キーは、レンズへのキーの配置および接着を容易にするために加熱される。
【００１０】
[0030]キー５が、レンズに後で接着される二次的な部品として最初に形成されず、代わりに切削工程を通じて形成されることも企図される。例えば、適切な切削機械は、レンズリム３に溝４をもはや形成せず、代わりに、一体化されたキー５がレンズリムにおける所定位置に形成または切削され、レンズの一部となる。接着材料が前述の方法で着色され、その結果、レンズ溝４と、結合されるキー５とを隠し、レンズを備えた単一の一体化された一体品構造となる場合と同様に、この代替の形成工程の一体化されたキーは、キーを定めるレンズの部分とレンズの残部との間に過渡的な線または境界がない。
【００１１】
[0031]レンズリム溝４からレンズの後側２への距離は、レンズの厚さが変化するのに応じて変わる可能性があるが、レンズリム溝４からレンズ１の前側への距離は同じままである。しかし、当業者は、これに該当する必要がないことを認識するだろう。図９および図１０は、一定のキー５の大きさおよび形態で異なる厚さのレンズを示している。図９および図１０では、「ａ」が、キーの厚さにおおよそ等しい厚さを示すために用いられている。「ｘ」が、「ａ」より大きい変化する厚さを示すために用いられている。
【００１２】
[0032]各々のレンズリム３に取り付けられるのは、エポキシ、ポリマー、複合材料、金属、または他の材料のうちの少なくとも１つから製作されたキーまたは緩衝部５であり、これは、レンズがフレーム９にドッキングされるとき、レンズリム３とフレーム９との間に嵌合する。キー５は、製造を容易にするために、好ましい構成では概して一定の形のものであり、レンズおよびフレームの交換可能性を促進するために、レンズの厚さに依存しない。キー５の材料は、レンズの周りの型へと注入されてもよく、または、前もって製作されてから、各々のレンズに取り付けられる、もしくは、前述のようにレンズリム３に一体的に形成されてもよい。
【００１３】
[0033]このキー５は、レンズリム溝４内にしっかりと嵌合するように構成された内周部６を有している。キーの内周部６は、矩形の形状を有するものとして図で描写されているが、当業者は、レンズリム溝４およびキーの内周部６がキー５をレンズへと固定するように構成される限り、例えば、キーが半球形、三角形、または任意の形状であり得るといった、他の形または形態を採用してもよいことを認識するだろう。キー５の形態は、本開示の範囲および趣旨から逸脱することなく、フレーム９において対応する溝４より若干鋭角に形成されてもよいことも、理解されるだろう。
【００１４】
[0034]キー５は、レンズリム３およびレンズリム溝４から外向きに突出する外周部７も有している。キー５のこの部分は、レンズリム３に当接し、面取りされ、三角形の形態を有するものとして図に描写されている。キーの外周部７およびフレーム溝１２が、キー５の取り付けられている各々のレンズをフレーム９に固定するために構成されている限り、半球形、矩形、または任意の形状の形態が使用されてよい。
【００１５】
[0035]キー５は、好ましくはさらに、タブ８の構造を有しており、タブ８の構造は、キー５を備えたレンズがフレーム９にドッキングされるときにフレームのブリッジ部１０の最も近くになるキー５の角に、図面では描写されている。キーの外周部７が面取りされている一方、キーの外周部７のタブ８は、好ましくは面取りされず、むしろキーの外周部の残りの部分から突出している。キー５がレンズに取り付けられてフレーム９にドッキングされるとき、タブ８は、フレームとレンズとの境界に沿って視認でき、特にはっきりとしている。図面は、フレームのブリッジ部１０の最も近くのキー５の角にタブ８を示しているが、タブは、キーに沿った任意の位置に配置され得る。
【００１６】
[0036]フレーム９は、フレームとレンズとの境界において、フレームの内側面に沿う溝を特徴としている（「フレーム溝」１２）。フレーム溝１２の形および深さは、キー５の外周部がフレーム溝１２内に相補的な仕方で嵌合するようになっている。フレーム溝１２は、典型的には、（ちょうどキー５がレンズの全周にわたって延びるように）レンズ開口の全周にわたって同じ深さである。キー５を備えたレンズがフレーム９にドッキングされるとき、キー５の外周部は、十分な大きさの力が加えられるとフレーム溝１２に嵌合する。フレーム９は、好ましくは、タブ８の形状を受け入れるために、フレームとレンズとの境界のブリッジ部１０（または、タブ８が配置され得る任意の他の位置）において、切り欠き、切断、または取り除かれており、好ましくは、切り欠きによってタブはフレームの内側面と面一になる形で受け入れられ得る。すなわち、タブは、切り欠きに完全に受け入れられる。タブ８は、フレームのこの切り欠き部１１に位置し、フレームの後面に沿うタブの外向きの突出は、レンズがフレームの後側からフレームの前側へと完全に突き抜けて押し出されるのを防ぎもする。別の言い方をすれば、フレーム溝１２は、タブ８を受け入れるフレームのブリッジ部の切り欠き部における高さの低くされた内側壁をフレーム溝が有しているかいないかを除いて、対向する面に沿ってキー５のそれぞれの面を受け入れて係合する第１および第２の側壁を有している。このように、キー５は、フレーム９の周囲の残部の周りでフレームの後側に沿って延びるフレーム溝の側壁に嵌合することが必要とされるのであって、切り欠き部においてフレーム９に嵌合する必要はない。その結果、キー５は、フレーム溝のこれらの切り欠き部において、フレーム開口に対してより簡単に挿入および取り外しされる。レンズおよびフレームの周囲の残部で必要とされる挿入／取り外しの力と比較したとき、個々のレンズをこれらの切り欠き領域に挿入するのに必要とされる力はより小さい。したがって、各々のレンズ１におけるタブ８と、フレーム溝１２の各々のレンズ開口における対応する切り欠き部とは、レンズを挿入および取り外しするために必要とされる力が小さくなるようにあらかじめ選択された領域を提供する。
【００１７】
[0037]代替の形態では、フレームは、フレーム溝１２の代わりに突出するフランジを有してもよく、一方、キー５の外周部は、フレームの突出するフランジの形を受け入れて一致するように構成された溝を有する。同様に、レンズリムは、レンズリム溝４の代わりに突出するフランジを有してもよく、一方、キーの内周部６は、レンズの突出するフランジの形を受け入れて一致するように構成された溝を有する。これらの構成は、先の段落に記載されているものの代用とされてもよく、以下の組合せとなる。（ａ）溝付きレンズリム、キーの内周部で突出するフランジ、溝付きフレーム、緩衝部の外周部で突出するフランジ、（ｂ）溝付きレンズリム、キーの内周部で突出するフランジ、フレームで突出するフランジ、キーの溝付き外周部、（ｃ）レンズリムで突出するフランジ、キーの溝付き内周部、溝付きフレーム、キーの外周部で突出するフランジ、（ｄ）レンズリムで突出するフランジ、キーの溝付き内周部、フレームで突出するフランジ、キーの溝付き外周部。
【００１８】
[0038]取り付けられたキー５を備えたレンズは、力をレンズの後側２へと加え、レンズをフレーム９の後側へと押し込むことで、フレーム９にドッキングされ得る。レンズは、力をレンズの前側１へと加えることで、取り外されてもよい。レンズをこの方法でドッキングすることでタブ８が隠され、そのためタブは眼鏡の前側から視認不可能である。代替的に、フレーム９およびレンズは、力をレンズの前側１へと加えてレンズをフレームへと押し込むことでレンズがドッキングされるように構成されてもよく、また、レンズは、力をレンズの後側２へと加えることで取り外されてもよい。
【００１９】
[0039]要約していえば、もたらされるレンズは、光学のために使用される１つの部分と、レンズをフレームへと機械的に取り付けるために使用されるレンズの第２の部分（すなわち、キー）とを有している。さらに、レンズリムの一部に沿ったレンズの小さな領域において、キーにタブを設けることで、および、関連する切り欠き部をフレームに設けることで、レンズをフレームから取り外す、（または、レンズをフレームへと挿入する）ことのいずれかのためにレンズへと加えられる力が、より大きな表面積にわたって分散されることになり、したがって、レンズへと取り付けられるために、または、レンズから取り外されるために、タブが必要とする力はより小さくなる。
【００２０】
[0040]本開示の第１の項目は、第１および第２のレンズ開口が形成され、レンズ開口の周りに溝または突起の一方を備えるフレームを備える眼鏡組立体である。少なくとも１つのレンズが、第１および第２のレンズ開口の少なくとも一方と作用的に関連するための寸法とされ、溝または突起の一方を有する。キーは、フレームにおける第１および第２の開口の少なくとも一方にレンズを選択的に相互結合し、（ｉ）内周部に沿い、レンズの溝または突起の一方に対合する突起または溝の他方、ならびに（ｉｉ）フレームの溝または突起の一方に対合する外周部に沿う突起または溝の他方を備える。
【００２１】
[0041]第２の項目は、キーが固定された厚さを有することであり、第１の項目と共に使用され得る。
[0042]第３の項目は、キーがエポキシ、ポリマー、複合材料、または金属材料のうちの少なくとも１つから製作されることであり、第１および第２の項目のいずれかまたは両方と共に使用され得る。
【００２２】
[0043]第４の項目は、キーが、同様に構成されたレンズ溝に受け入れられるように構成される内周部を有することであり、第１から第３の項目のうちのいずれか１つまたは複数と組み合わされて使用され得る。
【００２３】
[0044]第５の項目は、キーが、レンズの全周にわたって延びることであり、第１から第４の項目のうちのいずれか１つまたは複数と組み合わされて使用され得る。
[0045]第６の項目は、キーの内周部が、相補的な形状を有するレンズ溝に受け入れられるような半球形または三角形の一方である断面の形状および寸法を有することであり、第１から第５の項目のうちのいずれか１つまたは複数と組み合わされて使用され得る。
【００２４】
[0046]第７の項目は、キーが、レンズ開口の周りのフレーム溝に受け入れられるように構成される外周部を有することであり、第１から第６の項目のうちのいずれか１つまたは複数と組み合わされて使用され得る。
【００２５】
[0047]第８の項目は、キーが、フレームの全周にわたって延びることであり、第１から第７の項目のうちのいずれか１つまたは複数と組み合わされて使用され得る。
[0048]第９の項目は、キーの外周部が、相補的な形状を有するレンズ溝に受け入れられるような半球形または三角形の一方である断面の形状および寸法を有することであり、第１から第８の項目のうちのいずれか１つまたは複数と組み合わされて使用され得る。
【００２６】
[0049]第１０の項目は、キーが、緩衝部の残部から外向きに突出するタブを有することであり、第１から第９の項目のうちのいずれか１つまたは複数と組み合わされて使用され得る。
【００２７】
[0050]第１１の項目は、フレームが、キーのタブを受け入れるように構成される切り欠き部を有することであり、第１から第１０の項目のうちのいずれか１つまたは複数と組み合わされて使用され得る。
【００２８】
[0051]第１２の項目は、フレームの切り欠き部が、フレームの鼻ブリッジ部に隣接して配置されることであり、第１から第１１の項目のうちのいずれか１つまたは複数と組み合わされて使用され得る。
【００２９】
[0052]第１３の項目は、フレームの切り欠き部がフレームの内側面に配置され、それによって、眼鏡組立体が関係するユーザによって着用されるときにキーのタブがフレームの外側面に沿って視認されないことであり、第１から第１２の項目のうちのいずれか１つまたは複数と組み合わされて使用され得る。
【００３０】
[0053]第１４の項目は、タブがキーの一部分のみで設けられることであり、第１から第１３の項目のうちのいずれか１つまたは複数と組み合わされて使用され得る。
[0054]第１５の項目は、少なくとも１つの取り外し可能眼鏡レンズを用意するステップと、少なくとも１つのレンズ開口を有するフレームを用意するステップと、キーを各々の眼鏡レンズのリムに形成するステップと、フレームの切り欠き領域と協働するキーの部分に沿ってタブを設けるステップと、タブおよび切り欠き領域に沿って必要とされる、眼鏡組立体の残部で必要とされる力よりも小さい力で、レンズをフレームへと挿入するステップとを含む、取り外し可能レンズを有する眼鏡組立体を形成する方法である。
【００３１】
[0055]第１６の項目は、キーの一部を受け入れる溝をレンズリムに沿って形成するステップを含み、第１５の項目と組み合わされて使用され得る。
[0056]第１７の項目は、キーの一部を受け入れる溝をフレーム内に形成するステップを含み、第１５および第１６の項目のいずれかまたは両方と組み合わされて使用され得る。
【００３２】
[0057]第１８の項目は、フレームのブリッジ部にフレーム溝の切り欠き領域を位置決めするステップを含み、第１５から第１７の項目のうちのいずれか１つまたは複数と組み合わされて使用され得る。
【００３３】
[0058]第１９の項目は、レンズがフレームのブリッジ部に隣接する部分にタブを位置決めするステップを含み、第１５から第１８の項目のうちのいずれか１つまたは複数と組み合わされて使用され得る。
【００３４】
[0059]ここで記載された説明は、最良の態様を含め、本開示を説明するために、および、当業者に本開示を作成および使用させることができるようにするために、例を用いている。本開示の特許性のある範囲は、請求項によって定められ、当業者が想到する他の例を含み得る。このような他の例は、請求項の文言と異ならない構造的な要素を有する場合、または、請求項の文言と非実質的な違いのある同等の構造的な要素を含む場合、請求項の範囲内にあると意図されている。さらに、本開示は、構成部品および／またはステップの組合せと、審査のために元々提示された請求項の組合せとについての保護を仰ぐように、ならびに、構成部品および／またはステップの他の組合せと、審査手続過程の間の請求項の組合せとについての潜在的な保護を仰ぐように、意図されている。
【図１】
2016529559.tif 000003
【図２】
2016529559.tif 000004
【図３】
2016529559.tif 000005
【図４】
2016529559.tif 000006
【図５】
2016529559.tif 000007
【図６】
2016529559.tif 000008
【図７】
2016529559.tif 000009
【図８】
2016529559.tif 000010
【図９】
2016529559.tif 000011
【図１０】
2016529559.tif 000012
【図１１】
2016529559.tif 000013
【図１２】
2016529559.tif 000014
【図１３】
2016529559.tif 000015
【図１４】
2016529559.tif 000016
【図１５】
2016529559.tif 000017
【図１６】
2016529559.tif 000018
【図１７】
2016529559.tif 000019
【図１８】
2016529559.tif 000020
【図１９】
2016529559.tif 000021
【図２０】
2016529559.tif 000022
【図２１】
2016529559.tif 000023
【国際調査報告】
2016529559.tif 000024